(57)【特許請求の範囲】
【請求項１】
フィルターフレームと、吸水穴を有し前記フィルターフレームの吸水側に着脱自在に取り付けられるフィルターキャップと、前記フィルターフレームとフィルターキャップ間に設けられ不織布等よりなる浄化フィルターとを備え、前記フィルターフレームは、円筒状に形成した金属製ウエイトを環状に樹脂にてインサート成形することによりその内側に吸水された水が通過する貫通通水部を形成し、前記貫通通水部の入口縁部に金網フィルターを溶着固定するとともに、出口側には吸水ホース接続部を一体形成した洗濯機等の吸水フィルター装置。
【発明の詳細な説明】
【０００１】
【発明の属する技術分野】
本発明は、ポンプ装置により風呂水等を吸水する洗濯機等の吸水フィルター装置に関するものである。
【０００２】
【従来の技術】
従来、ポンプ装置により風呂水等を給水する洗濯機は、図６に示すように構成していた。以下、その構成について説明する。
【０００３】
図に示すように、ポンプ装置１は、風呂水等を自吸水して洗濯兼脱水槽２に給水するもので、洗濯機外枠３内に取着し、先端に吸水フィルター装置４を設けた吸水ホース５を吸水口６に連結し、吸水フィルター装置４を浴槽７内に入れている。給水弁８は、注水口９を通して、水受槽１０内に配設した洗濯兼脱水槽２に給水するとともに、風呂水使用の場合は、所定時間（約２０秒）動作して、洗濯兼脱水槽２内に注水すると同時に、注水口９に設けた呼び水吐出口１１から、呼び水口１２に連結した呼び水パイプ１３を通り、ポンプ装置１内へ満水の状態に供給するようにしている。吐出口１４は、吐出パイプ１５を通して注水ガイド１６に連結し、注水ガイド１６に沿って洗濯兼脱水槽２内に注水するように構成している。
【０００４】
洗濯兼脱水槽２の底面に回転翼１７を回転自在に配設し、回転翼１７と洗濯兼脱水槽２をモータ１８の回転により、ベルト１９を介して減速機２０により駆動し、洗濯、脱水を行うように構成している。
【０００５】
吸水フィルター装置４は、図７に示すように構成しており、フィルターフレーム２１は、異形断面をした環状の金属製ウエイト２２をインサート成形し、この金属製ウエイト２２には、金属製ウエイト２２は吸水時、正常吸水するように吸水フィルター装置４が水面上に浮かない役目をしている。この金属製ウエイト２２には、複数のインサート案内ピン穴２３を設けており、このインサート案内ピン穴２３は、インサート成形の後も金属面が露出した状態で空洞となっている。
【０００６】
フィルターフレーム２１の通水入口側には、樹脂フィルター２４を溶着させている。フィルターフレーム２１の吸水側に、吸水穴２５を有する着脱自在なフィルターキャップ２６を設け、フィルターフレーム２１とフィルターキャップとの間に浄化フィルター２７をセットした組み合せになっている。風呂水等の水は、フィルターキャップ２６、浄化フィルター２７、樹脂フィルター２４、フィルターフレーム２１内を通過し、吸水ホース５へ導かれる。
【０００７】
上記構成において、洗濯機を風呂水を使用する場合の動作を説明する。まず、給水弁８より所定時間給水して、洗濯兼脱水槽２内に注水すると同時に、注水口９に設けた呼び水吐出口１１から呼び水パイプ１３を通り、ポンプ装置１内へ満水の状態に供給される。その直後からポンプ装置１を駆動する。
【０００８】
ポンプ装置１の駆動により、吸水ホース５内の空気とポンプ装置１内の呼び水が気水混合された後、気水分離し、吸水ホース５内の空気が順次排出され、吸水ホース５内の空気がなくなると、風呂水が吸水ホース５を通して吸入されて、吐出口１４より吐出され、注水ガイド１６に沿って洗濯兼脱水槽２内に給水される。洗濯兼脱水槽２内に所定の水位まで給水されると、モータ１８により回転翼１７が回転し、洗濯兼脱水槽２内の洗濯物を洗濯する。
【０００９】
【発明が解決しようとする課題】
このような従来の吸水フィルター装置では、フィルターフレーム２１にインサート成形する金属製ウエイト２２は、異形断面をした環状であるため、金属製ウエイト２２を構成するためにダイカストや全切削加工などを施さなければならず、非常に高価なものとなっていた。また、金属製ウエイト２２のインサート案内ピン穴２３は金属面が露出した状態であるため、水による金属の腐食、錆びなどを防止するため腐食防止処理が必要であったり、またはステンレス鋼材や亜鉛材などを使用する必要があり、高価なものとなっていた。
【００１０】
また、インサート案内ピン穴２３は空洞となっているため、浮力が働く分の金属製ウエイト量を増大させたり、インサート案内ピン穴２３の凹部には通水時に含む微量の汚物類が堆積していくなどの不具合な問題を有していた。さらに、フィルターフレーム２１に溶着固定する樹脂フィルター２４は掃除作業時に局部応力が加わった場合、亀裂、割れなどの問題を有していた。
【００１１】
本発明は上記従来の課題を解決するもので、フィルターフレームにインサート成形する金属製ウエイトを安価にし、貫通通水部の入口縁部に固定したフィルターの掃除作業時の亀裂、破損を未然に防止し、さらに、構成をシンプルにして安価な吸水フィルター装置を得ることを目的としている。
【００１２】
【課題を解決するための手段】
本発明は上記目的を達成するために、フィルターフレームと、吸水穴を有し前記フィルターフレームの吸水側に着脱自在に取り付けられるフィルターキャップと、前記フィルターフレームとフィルターキャップ間に設けられ不織布等よりなる浄化フィルターとを備え、前記フィルターフレームは、円筒状に形成した金属製ウエイトを環状に樹脂にてインサート成形することによりその内側に吸水された水が通過する貫通通水部を形成し、前記貫通通水部の入口縁部に金網フィルターを溶着固定するとともに、出口側には吸水ホース接続部を一体形成したものである。
【００１３】
これにより、フィルターフレームにインサート成形する金属製ウエイトは円筒状に構成できるため、非常に安価にすることができ、また、貫通通水部の入口縁部に金網フィルターを溶着固定することにより、掃除作業時のフィルターの亀裂、破損などを未然に防止でき、さらに、フィルターフレーム、不織布等よりなる浄化フィルター、フィルターキャップによる構成で、シンプルでかつ、安価な吸水フィルター装置を得ることができる。
【００１４】
【発明の実施の形態】
本発明の請求項１に記載の発明は、フィルターフレームと、吸水穴を有し前記フィルターフレームの吸水側に着脱自在に取り付けられるフィルターキャップと、前記フィルターフレームとフィルターキャップ間に設けられ不織布等よりなる浄化フィルターとを備え、前記フィルターフレームは、円筒状に形成した金属製ウエイトを環状に樹脂にてインサート成形することによりその内側に吸水された水が通過する貫通通水部を形成し、前記貫通通水部の入口縁部に金網フィルターを溶着固定するとともに、出口側には吸水ホース接続部を一体形成したものであり、フィルターフレームにインサート成形する金属製ウエイトは円筒状に構成できるため、鋼管一般材を輪切りにしたもので可能となり、非常に安価にすることができ、また、貫通通水部の入口縁部にステンレス鋼材よりなる金網フィルターを溶着固定することにより、掃除作業時のフィルターの亀裂、破損などを未然に防止でき、さらに、フィルターフレーム、不織布等よりなる浄化フィルター、フィルターキャップによる構成で、シンプルでかつ、安価な吸水フィルター装置を得ることができる。
【００１５】
【実施例】
以下、本発明の実施例について、図面を参照しながら説明する。なお、洗濯機の全体構成は従来例と同じであるので、説明を省略する。
【００１６】
（実施例１）
図１に示すように、金属製ウエイト２８は、円筒状に形成し、この金属製ウエイト８を環状に樹脂にてインサート成形してフィルターフレーム２９を形成している。このフィルターフレーム２９の内側に貫通通水部３０を設け、貫通通水部３０の入口縁部にステンレス鋼材で形成した金網フィルター３１を溶着固定し、出口側に吸水ホース接続部３２を設け、吸水ホース５を接続するようにしている。
【００１７】
フィルターキャップ３３は、フィルターフレーム２９に着脱自在に取り付け可能で、吸水穴３４を有している。浄化フィルター３５は、不織布などで構成し、フィルターフレーム２９とフィルターキャップ３３との間に設けている。
【００１８】
上記構成において、金属製ウエイト２８は、円筒状に構成しているため、鋼管一般材を輪切りにしたもので可能となり、非常に安価にすることができる。また、貫通通水部３０の入口縁部にはステンレス鋼材よりなる金網フィルター３１を溶着固定することにより、掃除作業時の金網フィルター３１の亀裂、破損などを未然に防止できる。さらに、フィルターフレーム２９、不織布などよりなる浄化フィルター３５、フィルターキャップ３３による構成で、シンプルでかつ、安価な吸水フィルター装置を得ることができる。
【００１９】
（実施例２）
図２に示すように、金属製ウエイト２８は、インサート成形してフィルターフレーム２９を形成する際に、インサート案内ピン（図示せず）により支持して金型内の所定の位置に保持するため、複数のインサート案内ピン穴３６を設けている。このため、インサート成形後には、フィルターフレーム２９にインサート案内ピン穴３６に対応した位置にインサートピン穴３７が残る。このインサートピン穴３７に樹脂３８を充填し、金属製ウエイト２８を密閉している。他の構成は上記実施例１と同じである。
【００２０】
上記構成において、インサートピン穴３７に樹脂３８を充填し、金属製ウエイト２８を密閉することにより、安価な鋼材にて金属製ウエイト２８を構成することができ、腐食、錆びなどについても防止することができる。さらに、インサートピン穴３７の凹部は最小限の深さにとどめることができ、通水時に含む微量の汚物類の堆積を極小に押さえることができる。
【００２１】
（実施例３）
図３に示すように、金属製ウエイト２８をインサート成形してフィルターフレーム２９を形成するとき、金属製ウエイト２８のインサート案内ピン穴３６にインサート案内ピン３９を嵌合して支持し、金型４０内に保持し、金型４０内に樹脂を充填する。金型４０内に樹脂４１を充填した直後に、図４に示すように、金型４０のコア側のインサート案内ピン３９を引き込み、金属製ウエイト２８に設けたインサート案内ピン穴３６を含むインサートピン穴の表面をインサート成形する樹脂４１で覆い、金属製ウエイト２８を樹脂４１で密閉している。他の構成は上記実施例１と同じである。
【００２２】
上記構成において、インジェクション成形時のインサート案内ピン穴３６を含むインサートピン穴の表面をインサート成形する樹脂４１で覆うことができて、金属製ウエイト２８を密閉することができ、安価な鋼材にて金属製ウエイト２８を構成した場合でも、腐食、錆びなどを防止することができる。
【００２３】
（実施例４）
図５に示すように、フィルターフレーム２９にフィルターキャップ３３を取り付けた状態での重心位置Ｚは、全高Ｘの中心よりフィルターキャップ３３側としている。すなわち、重心位置ＺはＸ／２＞Ｚとしている。他の構成は上記実施例１と同じである。
【００２４】
上記構成において、重心位置Ｚを全高Ｘの中心よりフィルターキャップ３３側としているため、水中で使用するとき、常にフィルターキャップ３３が下方になる垂直方向となる作用が働き、フィルターキャップ３３からの吸水効率を高めることができ、浴槽内の残水量が少ない場合でも、吸水性能を高めることができる。
【００２５】
なお、上記実施例では、吸水フィルター装置を洗濯機に取着したポンプ装置に接続し、風呂水を給水するように構成しているが、吸水フィルター装置は洗濯機以外の水使用機器の吸水手段として使用できる。
【００２６】
【発明の効果】
以上のように本発明の請求項１の記載によれば、フィルターフレームと、吸水穴を有し前記フィルターフレームの吸水側に着脱自在に取り付けられるフィルターキャップと、前記フィルターフレームとフィルターキャップ間に設けられ不織布等よりなる浄化フィルターとを備え、前記フィルターフレームは、円筒状に形成した金属製ウエイトを環状に樹脂にてインサート成形することによりその内側に吸水された水が通過する貫通通水部を形成し、前記貫通通水部の入口縁部に金網フィルターを溶着固定するとともに、出口側には吸水ホース接続部を一体形成したから、フィルターフレームにインサート成形する金属製ウエイトは円筒状に構成できるため、鋼管一般材を輪切りにしたもので可能となり、非常に安価にすることができ、また、貫通通水部の入口縁部にステンレス鋼材よりなる金網フィルターを溶着固定することにより、掃除作業時のフィルターの亀裂、破損などを未然に防止でき、さらに、フィルターフレーム、不織布等よりなる浄化フィルター、フィルターキャップによる構成で、シンプルでかつ、安価な吸水フィルター装置を得ることができる。
【図面の簡単な説明】
【図１】  本発明の第１の実施例の洗濯機等の吸水フィルター装置の縦断面図
【図２】  本発明の第２の実施例の洗濯機等の吸水フィルター装置の部分縦断面図
【図３】  本発明の第３の実施例の洗濯機等の吸水フィルター装置のフィルターフレームのインサート成形時の樹脂充填中の状態断面図
【図４】  同フィルターフレームのインサート成形時の樹脂充填直後の状態断面図
【図５】  本発明の第４の実施例の洗濯機等の吸水フィルター装置の正面図
【図６】  従来の洗濯機等の吸水フィルター装置を備えた洗濯機の縦断面図
【図７】  同洗濯機等の吸水フィルター装置の分解縦断面図
【符号の説明】
２８  金属製ウエイト
２９  フィルターフレーム
３０  貫通通水部
３１  金網フィルター
３２  吸水ホース接続部
３３  フィルターキャップ
３４  吸水穴
３５  浄化フィルター
【図１】
0003684703.tif 000002
【図２】
0003684703.tif 000003
【図３】
0003684703.tif 000004
【図４】
0003684703.tif 000005
【図５】
0003684703.tif 000006
【図６】
0003684703.tif 000007
【図７】
0003684703.tif 000008